(57)【特許請求の範囲】
【請求項１】
視線誘導柱に取り付けられる進入防止部材であって、
視線誘導柱の上部外周面に取り付けられる筒状部と、
前記筒状部から水平方向に延びる長尺状部と、を備え、
樹脂で形成されている前記長尺状部の長手方向の中央部が、樹脂で形成されている前記筒状部の上端に接着や溶着により固定されて、前記長尺状部は前記筒状部から水平方向両側それぞれに延びており、
前記筒状部の上部開口を閉塞する蓋部を有する前記筒状部は、視線誘導柱の上端に被せて取り付けられるように、視線誘導柱の外径に一致又は少し小さい内径を有している進入防止部材。
【請求項２】
前記長尺状部の断面は三角形状であり、前記三角形の底辺が前記筒状部の上端に固定されている請求項１に記載の進入防止部材。
【請求項３】
前記長尺状部は、長手方向に延びる中空部を有する請求項１又は２に記載の進入防止部材。
【請求項４】
前記筒状部及び前記長尺状部は、エラストマー系樹脂で形成されている請求項１〜３のいずれか１項に記載の進入防止部材。
【請求項５】
請求項１〜４のいずれか１項に記載の進入防止部材を取り付けた視線誘導柱であって、
前記長尺状部の先端に内挿又は外挿され、隣り合う進入防止部材の長尺状部同士を連結する連結部材を備える視線誘導柱。
【発明の詳細な説明】
【技術分野】
【０００１】
本発明は、視線誘導柱に取り付けられる進入防止部材、及びこれを取り付けた視線誘導柱に関する。
【背景技術】
【０００２】
視線誘導柱（以下、道路標識柱、誘導柱又は標識柱と称することもある）は、上下車道の中央分離線や、車道と自転車道及び歩行者専用道路との境界線標示用、公園や街路等の車止め仕切り等の標示用、駐車場の標示用として使用される。
【０００３】
また、車両や人の進入を的確に防止したい場所においては、下記特許文献１のように、視線誘導柱の本体の片側もしくは両側から外側方にビームを張り出させた視線誘導柱が用いられる場合がある。
【先行技術文献】
【特許文献】
【０００４】
【特許文献１】特開２００１−１８２０２１号公報
【発明の概要】
【発明が解決しようとする課題】
【０００５】
しかしながら、特許文献１に記載の構造では、ビームを視線誘導柱の本体に固定するために、本体に差し込み孔が形成されていなければならず、既設の視線誘導柱にそのまま適用することができない。
【０００６】
本発明は、このような課題に着目してなされたものであって、その目的は、既設の視線誘導柱にも容易に適用可能な進入防止部材、及びこれを取り付けた視線誘導柱を提供することである。
【課題を解決するための手段】
【０００７】
上記目的は、下記の如き本発明により達成できる。      
即ち、本発明の進入防止部材は、視線誘導柱に取り付けられる進入防止部材であって、
視線誘導柱の上部外周面に取り付けられる筒状部と、前記筒状部から水平方向に延びる長尺状部と、を備え、
樹脂で形成されている前記長尺状部の長手方向の中央部が、樹脂で形成されている前記筒状部の上端に接着や溶着により固定されて、前記長尺状部は前記筒状部から水平方向両側それぞれに延びており、
前記筒状部の上部開口を閉塞する蓋部を有する前記筒状部は、視線誘導柱の上端に被せて取り付けられるように、視線誘導柱の外径に一致又は少し小さい内径を有しているものである。
【０００８】
この構成によれば、筒状部を視線誘導柱の上部外周面に取り付けるだけで、進入防止部材の視線誘導柱への取付が可能となるため、既設の視線誘導柱にも容易に適用できる。
この構成によれば、長尺状部が筒状部から水平方向両側に向かって延びるため、視認性が良好となり、適切に注意喚起を促すことができる。
【０００９】
本発明の進入防止部材において、前記長尺状部の断面は三角形状であり、前記三角形の底辺が前記筒状部の上端に固定されていることが好ましい。
【００１０】
長尺状部を長くすると自重で撓みやすくなるが、長尺状部の断面を三角形状とすることで撓みにくくなる。
【００１１】
本発明の進入防止部材において、前記長尺状部は、長手方向に延びる中空部を有することが好ましい。
【００１２】
この構成によれば、長尺状部が軽くなるため自重で撓みにくくなる。
【００１３】
本発明の進入防止部材において、前記筒状部及び前記長尺状部は、エラストマー系樹脂で形成されていることが好ましい。
【００１４】
この構成によれば、車両や人が接触した場合にも安全であり、また変形した際の復元性も良好となる。
【００１５】
また、本発明の視線誘導柱は、上記いずれかに記載の進入防止部材を取り付けた視線誘導柱であって、前記長尺状部の先端に内挿又は外挿され、隣り合う進入防止部材の長尺状部同士を連結する連結部材を備えるものである。
【００１６】
この構成によれば、進入防止部材を既設の視線誘導柱にも容易に適用でき、また、複数の進入防止部材を連続して配置可能となる。
【図面の簡単な説明】
【００１７】
【図１】本発明の一実施形態に係る進入防止部材が取り付けられた視線誘導柱を示す平面図及び正面図
【図２】図１に示す進入防止部材及び視線誘導柱のＡ−Ａ断面図
【図３】本発明の一実施形態に係る視線誘導柱を示す正面図
【図４】別実施形態に係る進入防止部材の断面図
【図５】別実施形態に係る進入防止部材が取り付けられた視線誘導柱を示す正面図
【図６】別実施形態に係る視線誘導柱を示す正面図
【発明を実施するための形態】
【００１８】
本発明の進入防止部材及び視線誘導柱の好適な実施形態を、図面を用いて説明する。図１は、進入防止部材が取り付けられた視線誘導柱の平面図及び正面図である。図２は、図１に示す進入防止部材及び視線誘導柱のＡ−Ａ断面図である。
【００１９】
進入防止部材１は、視線誘導柱２の上部に取り付けられるものである。進入防止部材１は、視線誘導柱２の上部外周面２ａに取り付けられる筒状部１０と、筒状部１０から水平方向に延びる長尺状部１１と、を備える。
【００２０】
筒状部１０は、円柱状の視線誘導柱２に対応するように、円筒状に形成されている。勿論、視線誘導柱２が角柱や楕円柱である場合には、その形状に応じて筒状部１０は角筒状又は楕円筒状に形成される。筒状部１０の内径は、視線誘導柱２の外径に一致又は少し小さく形成されている。
【００２１】
本実施形態の筒状部１０は、筒状部１０の上部開口を閉塞する蓋部１２を有している。ただし、この蓋部１２は、必ずしも設ける必要はなく、また、筒状部１０の上部開口を部分的に閉塞する形状でもよい。
【００２２】
長尺状部１１は、筒状部１０から水平方向に延びている。本実施形態の長尺状部１１は、筒状部１０の上部から水平方向両側にそれぞれ延びている。長尺状部１１は、その長手方向中央部が筒状部１０の上端に固定されている。
【００２３】
本実施形態の長尺状部１１は、断面が三角形状となっており、この三角形の底辺が筒状部１０の上端に固定されている。また、長尺状部１１は、長手方向に延びる中空部１１０を有しており、全体として断面三角形状の中空パイプとなっている。
【００２４】
本発明の進入防止部材１によれば、筒状部１０を視線誘導柱２の上部外周面２ａに取り付けるだけで、進入防止部材１の視線誘導柱２への取付が可能となるため、既設の視線誘導柱にも容易に適用できる。また、長尺状部１１が筒状部１０から水平方向に延びているため、視認性が良く、適切に注意喚起を促すことができる。長尺状部１１の側面には、さらなる注意喚起を促すための反射シート（図示せず）が貼付されてもよい。
【００２５】
筒状部１０、長尺状部１１、及び蓋部１２を含む進入防止部材１を構成する全ての部材は非金属材料で形成されている。具体的には、エラストマー系樹脂で形成されているが、その他の樹脂も利用可能である。
【００２６】
筒状部１０と長尺状部１１は、一体化されている。長尺状部１１は、筒状部１０の上端に対して、接着剤による接着や、超音波溶着又は熱溶着で固定される。
【００２７】
長尺状部１１の長さは、２０００ｍｍ以下が好ましく、１０００ｍｍ以下が特に好ましい。長尺状部１１の長さを長くし過ぎると、自重により撓みやすくなる。また、本実施形態の長尺状部１１の断面は、正三角形の一辺、もしくは二等辺三角形の底辺が３０〜８０ｍｍの三角形としている。また、中空パイプ状の長尺状部１１の肉厚は、２〜４ｍｍとしている。
【００２８】
図３に示すように、進入防止部材１が取り付けられた視線誘導柱２は、長尺状部１１の先端１１ａに内挿又は外挿され、隣り合う進入防止部材１の長尺状部１１同士を連結する連結部材３をさらに備えてもよい。この実施形態の連結部材３は、両端が断面三角形状の中空パイプとなっており、その両端にそれぞれ長尺状部１１の先端１１ａを挿入することができる。
連結部材３の長さは、隣り合う視線誘導柱２に取り付けられた進入防止部材１の長尺状部１１同士の間隔よりも長くなっている。これにより、隣り合う進入防止部材１の長尺状部１１同士を連結することができ、注意喚起をより一層促すことができる。なお、本実施形態の視線誘導柱２には反射テープ２１を巻き付けて注意喚起をより一層促しているが、反射テープ２１の有無、位置、貼付範囲などは適宜変更可能である。
【００２９】
本実施形態の連結部材３は、長尺状部１１の先端１１ａを挿入する長さを変更可能なため、隣り合う長尺状部１１を必ずしも所定の間隔で精度良く配置する必要はなく、進入防止部材１が取り付けられた視線誘導柱２を容易に連続して配置することができる。
【００３０】
＜別実施形態＞
本発明は前述した実施形態に何ら限定されるものではなく、本発明の趣旨を逸脱しない範囲内で種々の改良変更が可能である。
【００３１】
（１）前述の実施形態において、長尺状部１１の断面は三角形状となっているが、これに限定されない。例えば、図４（ａ）に示すようなＩ字状、図４（ｂ）に示すようなＴ字状、図４（ｃ）に示すようなＬ字状等でもよい。また、図４（ｄ）に示すような四角形状、図４（ｅ）に示すような円形状でもよい。
【００３２】
（２）前述の実施形態では、長尺状部１１が筒状部１０の上端に固定されているが、長尺状部１１は筒状部１０の側面に固定されてもよく、長尺状部１１が、図５に示すように筒状部１０の側面から水平方向に延びる形態でもよい。
【００３３】
（３）連結部材３は、中空部１１０を有する長尺状部１１の中に挿入されるようにしてもよい。
【００３４】
（４）隣り合う２つの視線誘導柱２に取り付けられた進入防止部材１の長尺状部１１同士を連結する例を示したが、３つ以上の長尺状部１１同士を連結するようにしてもよい。
【００３５】
（５）前述の実施形態では、筒状部１０は、視線誘導柱２の上部外周面２ａの全周を覆う環状であるが、一部が繋がっていない円弧状でもよい。
【００３６】
（６）図３に示す実施形態では、進入防止部材１の長尺状部１１が連結部材３よりも長くなっているが、図６に示すように長尺状部１１を連結部材３よりも短くしてもよい。この例では、長尺状部１１は、筒状部１０の上端に固定され、筒状部１０から水平方向に僅かに突出している。突出長さＰは、１０〜１００ｍｍ程度である。このように、本発明における長尺状部１１とは、単に筒状部１０から水平方向に延びる部分のことを指し、その長さについては何ら限定されない。また、図６の例では、連結部材３の両端は、中空の長尺状部１１の先端に内挿されている。
【符号の説明】
【００３７】
１      進入防止部材
２      視線誘導柱
２ａ    上部外周面
３      連結部材
１０    筒状部
１１    長尺状部
１２    蓋部
１１０  中空部
【図１】
0006754187.tif 000002
【図２】
0006754187.tif 000003
【図３】
0006754187.tif 000004
【図４】
0006754187.tif 000005
【図５】
0006754187.tif 000006
【図６】
0006754187.tif 000007